(57)【特許請求の範囲】
【請求項１】
遊技に応じて遊技者に特定の遊技価値を付与する遊技機の制御を行う遊技制御基板と、該遊技制御基板を収納する基板ベース及び基板カバーと、を備えた遊技機基板ケースにおいて、
前記遊技機基板ケースを開封不能に封印して破壊することによってのみ開封可能とする封印手段を備え、
前記基板ベース及び前記基板カバーを上下位置に重合して組み合わせたとき、前記遊技機基板ケースの側面には前記基板カバー及び前記基板ベースに連通してなる１条の溝部が条設されてなり、
前記溝部は、基板カバー側溝部と基板ベース側溝部を備え、
前記基板ベースから前記基板カバーにかけてＩＣチップとアンテナを内蔵したテープ型のインレットを前記溝部に貼着し、
前記基板カバー側溝部と基板ベース側溝部には貼着した前記インレットの少なくとも一部を被覆するスペーサーを嵌め込み可能とし、
該スペーサーは、前記溝部に嵌め込まれたとき、前記遊技機基板ケースの側面に対して略面一となるように形成され、
該スペーサーは、係止爪を有した係止片を一対に備え、前記基板カバー側溝部内又は基板ベース側溝部内には係止穴を有し、
前記係止穴に前記係止片が嵌入し、前記係止爪が前記基板ベース裏面または前記基板カバー裏面の係止部に引っ掛かることで、前記スペーサーは前記基板ベースと前記基板カバーが嵌合している状態時は取外し不可能となり、前記封印手段を破壊したとき前記係止爪を前記基板ベース裏面または前記基板カバー裏面の係止部から解除することで取外し可能となることを特徴とする遊技機基板ケース。
【発明の詳細な説明】
【技術分野】
【０００１】
本発明は、遊技に応じて遊技者に特定の遊技価値を付与する遊技機の制御を行う遊技制御基板と、該遊技制御基板を収納する基板ベース及び基板カバーとを備えた遊技機の基板ケースに関するものである。
【背景技術】
【０００２】
従来、パチンコ機等の遊技機では、中央処理装置（以下、ＣＰＵという）や記憶素子（以下、ＲＯＭという）等で構成される遊技内容を制御する遊技制御基板が設けられており、この遊技制御基板は、他の導電部品等との接触や衝撃等から保護するために基板ベースと基板カバーで構成される合成樹脂製の基板ケースに収納されて、遊技機の裏面に配設されている。この遊技制御基板は、ＲＯＭに記憶された遊技制御プログラムに基づいて、その遊技動作が制御されていて、遊技制御プログラムの内容（大当たりといわれる特別遊技状態となる確率等）により、出玉等の遊技者に対する利益が左右されている。このため、外部から遊技店の営業中以外に遊技制御基板の正規な遊技プログラムが記憶されたＲＯＭを、特別遊技状態となる確率を変更した不正な遊技プログラムが記憶されたＲＯＭと交換することにより、特別遊技状態を不正に発生させて出玉を得るという不正行為が行われる場合がある。これを防止するために、遊技制御基板を収納する基板ケースには、基板カバーを取外し不可能にする封印手段が設けられている。
【０００３】
前記封印手段は、前記基板ベースと前記基板カバーを一方向にしか回転させることができないネジ、いわゆるワンウェイネジで組み付けることにより、基板ベースから基板カバーを取外し不可能にするようにしている。
【０００４】
ところが、この封印手段を切断する、又は基板ケースをこじ開ける等の行為により不正行為を行われる可能性が高いことから、近年ではＩＣタグを用いて不正防止を図る発明が為されている。
更に、当該ＩＣタグを用いて不正防止を図る発明として、ＩＣチップとアンテナを内蔵したテープ型のインレットを基板ベースと基板カバーとを跨ぐ形で貼着し、剥がされる、破られる、切られる等の行為によりアンテナが切断され、ＩＤが読めなくなることにより不正を早期に発見しようとする提案等が為されている。
ＩＣタグを用いて不正防止を図る発明としては、下記特許文献を挙げることができる。
【先行技術文献】
【特許文献】
【０００５】
【特許文献１】特開２００６−１２２３９０号公報
【特許文献２】特開２００４−１０２９９２号公報
【特許文献３】特開２００６−１３０１５６号公報
【発明の概要】
【発明が解決しようとする課題】
【０００６】
しかしながら、汎用品としてのＩＣチップとアンテナを内蔵したテープ型のインレットは、縦約５０ｍｍ、巾約１．５ｍｍ、厚さ約０．２５ｍｍが一般的であり、ぱちんこ遊技機等の基板ケースに貼着することは、以下の課題が予想される。
細長いテープ型インレットが封印シールであることがホールの従業員（特に新人の従業員）等に理解されず、無用のものとして剥がしてしまう課題、このため、不正行為ではないのに不正行為と判断する可能性がある課題、理解していても、目に付きにくいので不注意により剥がしてしまう、または傷つけてしまう課題、テープ型インレット貼着部を薬品等により切断等することなく剥がし、不正行為を行った後、再び貼着する可能性の課題、が予想される。
【課題を解決するための手段】
【０００７】
請求項１に記載の遊技機基板ケースは、遊技に応じて遊技者に特定の遊技価値を付与する遊技機の制御を行う遊技制御基板と、該遊技制御基板を収納する基板ベース及び基板カバーと、を備えた遊技機基板ケースにおいて、前記遊技機基板ケースを開封不能に封印して破壊することによってのみ開封可能とする封印手段を備え、前記基板ベース及び前記基板カバーを上下位置に重合して組み合わせたとき、前記遊技機基板ケースの側面には前記基板カバー及び前記基板ベースに連通してなる１条の溝部が条設されてなり、前記溝部は、基板カバー側溝部と基板ベース側溝部を備え、前記基板ベースから前記基板カバーにかけてＩＣチップとアンテナを内蔵したテープ型のインレットを前記溝部に貼着し、前記基板カバー側溝部と基板ベース側溝部には貼着した前記インレットの少なくとも一部を被覆するスペーサーを嵌め込み可能とし、該スペーサーは、前記溝部に嵌め込まれたとき、前記遊技機基板ケースの側面に対して略面一となるように形成され、該スペーサーは、係止爪を有した係止片を一対に備え、前記基板カバー側溝部内又は基板ベース側溝部内には係止穴を有し、前記係止穴に前記係止片が嵌入し、前記係止爪が前記基板ベース裏面または前記基板カバー裏面の係止部に引っ掛かることで、前記スペーサーは前記基板ベースと前記基板カバーが嵌合している状態時は取外し不可能となり、前記封印手段を破壊したとき前記係止爪を前記基板ベース裏面または前記基板カバー裏面の係止部から解除することで取外し可能となることを特徴とする。
ＩＣチップにはメモリが内蔵され、当該メモリはシステム領域とユーザ領域からなる。   テープ型のインレットは薄いフィルムであり、その裏面にはアクリル樹脂系の接着剤が塗布されている。また表面には目視可能な印字を施しても構わない。
【発明の効果】
【０００８】
請求項１の発明によれば、ＩＣチップとアンテナを内蔵したテープ型のインレットを空間部に貼着して、その空間部にスペーサーを嵌め込むことで、製造時や搬送時、またホールの設置時での不注意によるインレットの破損や剥離を防ぐことが期待できる。
【０００９】
また、スペーサーの係止爪が基板ベースまたは基板カバー裏の係止部に引っ掛かることで基板ベースと基板カバーが嵌合している状態ではスペーサーが取外せなくなる。これによりインレットの保護と同時に、故意に剥がすことを防止できる。
【００１０】
さらに、封印手段を破壊することによって遊技機基板ケースを開封することで、基板ベースと基板カバーが離隔した状態において、遊技機基板ケースの裏面側から、スペーサーの一対の係止爪の係止を解除し、係止爪を係止部から離隔するように係止穴の方向へ変位させ、係止穴へ押し込むことでスペーサーを取り外すことができる。
【図面の簡単な説明】
【００１１】
【図１】パチンコ機の正面図。
【図２】パチンコ機の裏面図。
【図３】基板ケースの実施形態を示す基板ケースの斜視図。
【図４】基板ケースの実施形態を示す基板ケースの分解斜視図。
【図５】実施例の主制御基板の斜視図。
【図６】封印部材の分解斜視図。
【図７】封印部材の斜視図。
【図８】ワンウェイ螺子の説明図。
【図９】基板ケースとスペーサーの関係を示す部分斜視図。
【図１０】テープ型インレットにおける印字汎用例を示す図。
【図１１】基板ケースとスペーサーの関係を示す部分断面図。
【発明を実施するための形態】
【００１２】
以下に、本発明の好適な実施形態を図１〜図１１を参照して説明する。尚、本発明の実施の形態は、下記の実施形態に何ら限定されるものではなく、本発明の技術的範囲に属する限り種々の形態を採り得ることはいうまでもない。
【００１３】
図１は、遊技機の代表例であるパチンコ機１０の正面図であり、いわゆるカード式第一種パチンコ機と呼ばれるものである。前記パチンコ機１０は、遊技店の遊技機設置島に設置固定するための外枠１１にヒンジ機構１２、１２を上下に設け、額縁状に形成された内枠１３を開閉可能に軸着している。そして、内枠１３には、裏面から開口部を塞ぐように遊技盤１４が装着されている。また、内枠１３の前面からは遊技盤１４の遊技領域を透視するためのガラスを装備した金枠１５が開閉可能に螺着されている。
【００１４】
遊技盤１４の下方には、遊技球を整列流下させながら発射装置に誘導するための上皿１６が配設されている。前記上皿１６は払出された賞球、あるいは貸球が流出する流出口１６ａおよび貯留された遊技球を排出するための上皿球抜きレバー１６ｂを有している。また、上皿球抜きレバー１６ｂの下方には、後述する球貸ユニットを操作するための球貸ボタン１７ａ、カード返却ボタン１７ｂ、カード残金表示部１７ｃを備えた球貸ユニット操作パネル１７が設けられている。
【００１５】
上皿１６の下方には、下皿１８が配設されており、前記下皿１８には、上皿１６からオーバーフローしてきた賞球、あるいは貸球が流出する流出口１８ａおよび貯留された遊技球を球箱等に排出するための下皿球抜きレバー１８ｂを有している。そして、下皿１８の右端部には、発射レバー１９を有した発射ハンドル２０が装着されており、前記発射レバー１９を遊技者が回転操作することで遊技球を遊技盤１４の任意の位置に発射することができる。
【００１６】
遊技盤１４は、周囲をガイドレール２１により円形状に外囲され、前記ガイドレール２１に囲まれた領域が遊技領域２２となる。なお、遊技領域２２には、無数の誘導釘（図示は省略）がほぼ全域にわたって設けられており、前記誘導釘によって遊技領域２２に発射された遊技球を任意の位置に誘導する。遊技領域２２の略中央部にはセンター役物２３が装着されている。前記センター役物２３の中央部には、特別図柄の表示態様を変化させた後に確定表示させる特別図柄表示装置２４が装着されており、その上方には、普通図柄の表示態様を変化させた後に確定表示させる普通図柄表示装置２５が装着されている。また、センター役物２３の周囲にはランプ風車２６、２６、風車２７、２７、普通図柄始動用ゲート２８、２８、サイドランプ２９、２９、普通電動役物３０が配設されている。なお、普通電動役物３０は、公知の技術である開閉羽３０ａ、３０ｂを備えた電動チューリップ式入賞口となっている。
【００１７】
普通電動役物３０の左右には肩入賞口３１、３１が配設されており、普通電動役物３０の下方には入賞装置３２が装着されている。前記入賞装置３２は、中央に大入賞口３３が設けられており、その両端に袖入賞口３４、３４が設けられている。そして、入賞装置３２の下方、ガイドレール２１の最下部にはアウト口３５が配設されている。パチンコ機１０の左一側には球貸ユニット３６が縦長状に取付けられている。前記球貸ユニット３６は、カード挿入口３７と表示ランプ３８とを有し、カード挿入口３７にカードを挿入すれば、表示ランプ３８が点灯すると共に、上皿１６に配設されている球貸ユニット操作パネル１７のカード残金表示部１７ｃに残金が表示される。そして、残金が表示されていれば、球貸ボタン１７ａを押すことにより上皿１６の流出口１６ａから所定数の貸球が排出される。また、カード返却ボタン１７ｂを押すことにより残金を記録済みのカードがカード挿入口３７から返却されるようになっている。
【００１８】
次に、図２にしたがって、パチンコ機１０の裏面の構成について説明する。図２は、パチンコ機１０の裏面図である。図に示すように、パチンコ機１０の裏面には、遊技盤取付枠３９が装着されており、該遊技盤取付枠３９には、遊技盤１４が着脱自在に装着される。また、遊技盤取付枠３９の一側には、合成樹脂製の機構板４０が開閉可能に装着される。前記機構板４０の上部には、賞球あるいは貸球として排出するための遊技球を貯留する球タンク４１が設けられ、パチンコ機１０が遊技機設置島に設置された状態でその上方から遊技球が球タンク４１に供給される。そして、球タンク４１の下方には、賞球用樋と貸球用樋が形成され、それらの樋に遊技球を分流しながら流下させるタンクレール４２が設けられており、タンクレール４２の下流端はカーブ樋４３を介して賞球払出装置４４、貸球払出装置４５にそれぞれ接続される。
【００１９】
機構板４０の略中央部には、遊技制御用マイクロコンピュータ等が搭載された主制御基板４６を収納した基板ケース４７が配設されている。また、基板ケース４７の下方には、賞球払出装置４４、貸球払出装置４５を制御して、賞球あるいは貸球の排出を行う賞球制御基板４８が配設されている。前記基板ケース４７の背面には、スピーカからの音声発生を制御するための音声制御基板４９、遊技盤１４面に設けられる遊技効果を高めるためのランプ等の点灯方法を制御するランプ制御基板５０がそれぞれ設けられている。また、主制御基板４６の上部には、特別図柄表示装置２４の背面部が突出しており、該特別図柄表示装置２４内には、図柄表示装置基板（特別図柄用）２４ａが内蔵されている。また、特別図柄表示装置２４の背面板には、遊技盤１４に配設された各遊技部品に信号を供給するための遊技盤用中継基板５１が装着される。そして、特別図柄表示装置２４の左方には、内枠１３に装着される遊技装置に信号を供給するための枠用中継基板５２が装着される。
【００２０】
機構板４０の下部右側には、外部から供給される電力から複数の直流電圧を生成する電源回路が搭載された電源基板５３が設けられ、電源基板５３の左方、内枠１３の左下部には、遊技球を発射するための発射装置５４が装着されており、該発射装置５４には、発射装置５４を制御する発射制御基板５４ａが設けられている。また、機構板４０の右上隅部には、遊技に関する各種情報を遊技機外部に出力するための各端子を備えた外部接続端子板５５が設置されている。
【００２１】
次に、図３、図４にしたがって、本発明の要旨である基板ケース４７の構成について説明する。図３は基板ケース４７の斜視図であり、図４は同分解斜視図である。図３に示すように、基板ケース４７は、主制御基板４６を載置するための基板ベース５６と、該基板ベース５６の上方より主制御基板４６を被覆して保護する基板カバー５７と、基板ケース４７の左側部の上下に各々２ヶ所ずつ突設する前記基板カバー５７を取外し不可能にするための封印部材５８〜６１と、後に説明するスペーサー６２等により構成される。また、基板ケース４７を構成する基板ベース５６、基板カバー５７、封印部材５８〜６１等は、内部を透視できるように透過性のある合成樹脂で形成されている。
【００２２】
続いて、図４にしたがって、基板ケース４７の各構成部品ついて詳細に説明する。基板ケース４７は、前述したように、基板ベース５６、基板カバー５７、封印部材５８〜６１等により構成される。封印部材５８〜６１は、基板カバー５７の左側面に設けられ、基板カバー５７の左側面から突出する第１連結部５８ａ〜６１ａにより連結される第１筒部５８ｂ〜６１ｂが設けられる。この第１筒部５８ｂ〜６１ｂ内には、基板カバー５７を取り外し不可能に螺着するための螺子５８ｃ〜６１ｃが設けられる。そして、基板ベース５６の左側面には、基板ベース５６の左側面から突出する第２連結部５８ｄ〜６１ｄにより連結される第２筒部５８ｅ〜６１ｅが設けられる。この第２筒部５８ｅ〜６１ｅ内には、前述した螺子５８ｃ〜６１ｃが挿入可能な螺子孔を有する螺子孔部材５８ｆ〜６１ｆが内包される。
【００２３】
ここで、基板ケース４７内に収納される主制御基板４６について図５を参照して説明する。主制御基板４６は、図５に示すように、長方形状のプリント配線基板によって構成されており、その上面の大部分はＲＯＭ等の電子部品６６を実装する電子部品実装領域６７として形成される一方、幅方向一側の領域がコネクタ６８を実装するコネクタ実装領域６９として形成されている。また、主制御基板４６の隅角部４箇所には、止め孔７０、７０および係合孔７１、７１が穿設されている。
【００２４】
基板ベース５６は、図４に示すように、周囲をガイドリブ７２により囲まれる主制御基板４６を載置するための主制御基板載置領域７３が形成される。主制御基板載置領域７３のガイドリブ７２の内側隅角部には、主制御基板４６を位置決めしてネジ止めするための突起部７２ａ、７２ｂおよびネジ孔７２ｃ、７２ｄが設けられ、突起部７２ａ、７２ｂに主制御基板４６の係合孔７１、７１を挿入するように載置し、止め孔７０、７０にビスを挿入してネジ孔７２ｃ、７２ｄにねじ込むことで主制御基板４６を基板ベース５６に固定することができる。そして、基板ベース５６の右側面には、基板ケース４７を機構板４０に取り付けるための取付孔７４ａを有する取付部７４が突設している。この取付部７４の取付孔７４ａに螺子等を挿入して、締着することで基板ケース４７を機構板４０に取り付けることができる。そして、取付部７４の近傍には、基板カバー５７を開閉可能にするための軸孔７５ａ、７５ａを有する軸受け７５、７５が設けられる。
【００２５】
基板カバー５７は、下面が開口したコの字状の形状を有し、その左側面には、第１連結部５８ａ〜６１ａにより連結される第１筒部５８ｂ〜６１ｂが突出している。基板カバー５７の上面には、凹部７６ａ、７６ｂが形成されており、この凹部７６ａ、７６ｂには、パチンコ機１０の機種名を記した機種名シールや主制御基板４６を検査した際に書き込むための検査履歴シール等が貼り付けされる。また、基板カバー５７の幅方向の一側には、被覆部材７７が突設されている。この被覆部材７７は、長方形状をなし、主制御基板４６のコネクタ実装領域６９に並設されたコネクタ６８を個々に挿通する挿通孔７８が複数穿設されている。そして、基板カバー５７の右側面には、基板カバー５７を開閉可能に支持するための回動軸となる支軸７９、７９が設けられ、この支軸７９、７９を基板ベース５６に設けられる軸受け７５、７５の軸孔７５ａ、７５ａに挿入することにより基板カバー５７を開閉可能に支持することができる。
【００２６】
次に、図６、図７にしたがって、基板カバー５７を取外し不可能にするための封印部材５８〜６１について詳細に説明する。なお、封印部材５８〜６１の構造およびその封印方法は全て同様であるので、ここでは、封印部材５８を代表例として説明する。図５は、封印部材５８を拡大した分解斜視図、図６は、封印部材５８を封印した状態の斜視図である。図５に示すように、封印部材５８は、基板カバー５７の左側面から延出する第１連結部５８ａにより連結される第１筒部５８ｂと、その内部に仮止めされる螺子５８ｃと、基板ベース５６の左側部から延出する第２連結部５８ｄにより連結される第２筒部５８ｅと、第２筒部５８ｅに内包される螺子孔部材５８ｆから構成される。
【００２７】
続いて、これらの構成部品を詳細に説明すると、先ず、第１筒部５８ｂは、円柱形状を有し、内部に円柱形状の開口部５８ｇが形成される。そして、この開口部５８ｇの底面には、螺子５８ｃが挿通可能な挿通孔５８ｈが開口しており、封印部材５８を封印しない状態では、この挿通孔５８ｈに螺子５８ｃが仮止めされている。
【００２８】
また、この螺子５８ｃは、いわゆるワンウェイ螺子と呼ばれるものであり、ここで、このワンウェイ螺子５８ｃについて説明する。ワンウェイ螺子５８ｃは、螺子締め方向にしか回らない特殊な螺子であり、一旦締め付けると螺子を破壊しない限り取り外すことができない。具体的には、図８（Ａ）（Ｂ）に示すように、その頭部８０に設けられた螺子溝が当接面部８１と凹部８２と中心穴部８３とから構成されている。そして、図９（Ｃ）に示す特殊マイナスドライバ８４で螺子５８ｃ締めを行う場合には、マイナスドライバ８４の中心軸部８５を中心穴部８３に差込、この状態からマイナスドライバ８４の当接片部８６を当接面部８１に当接させて一方向（図８（Ａ）の時計回り方向）に頭部８０を回転させることで螺子５８ｃ締めを行う。一方、マイナスドライバ８４で頭部８０を他方向（図８（Ａ）の反時計回り方向）に回転させて螺子５８ｃを取り外そうとした場合には、マイナスドライバ８４が凹部８２に入りこんで滑ってしまい頭部８０を回転させることができずに螺子８５ｃの取り外しが行えない。なお、通常のマイナスドライバでも頭部８０を一方向に回転させて螺子５８ｃを締めることは可能であるが、特殊マイナスドライバ８４のように、中心軸部８５を螺子５８ｃの中心穴部８３に差し込んで螺子５８ｃとの位置決めを行った方が締め付け作業を容易に行える。
【００２９】
また、上記したような、ワンウェイ螺子の変わりにいわゆる破断螺子というものを使用することも考えられる。この破断螺子は、締め付け方向には回転させることができるが、緩める方向に螺子を回転させた場合には、螺子の頭部が破断してしまい、緩めることができない螺子である。このような、螺子を使用してもワンウェイ螺子と同様の効果を有することができる。
【００３０】
そして、前述したように形成される第１筒部の外周縁部と基板カバー５７の左側面が第１連結部５８ａに一体に形成されるように連結されている。また、第２筒部５８ｅは、下面に開口部５８ｉを有する円柱形状を有し、上面に前述した螺子５８ｃが挿通可能な挿通孔５８ｊが開口している。そして、この第２筒部５８ｅの開口部５８ｉ内には、螺子孔５８ｋが形成される螺子孔部材５８ｆが内包される。螺子孔部材５８ｆの下面には、時計回り方向に進むに従い下り傾斜がきつくなる扇形形状を有する係止め部５８ｌ、５８ｌが左右対称位置に２箇所突出する。また、第２連結部の上面には、反時計回り方向に進むに従い上り傾斜がきつくなる扇形形状を有する係止め部５８ｍ、５８ｍが左右対称位置に２箇所突出している。そして、これらを組付ける場合には、第２筒部５８ｅの開口部５８ｉ内に螺子孔部材５８ｆを内包した後、第２連結部５８ｄの上面と第２筒部５８ｅの下面とを熱溶着することにより組付ける。このようにすることにより、第２筒部５８ｅの開口部５８ｊ内で、螺子孔部材５８ｆが回転可能、即ち、フリーの状態で内包することができる。
【００３１】
次に、図７にしたがって、封印部材５８の封印方法について説明する。先ず、基板カバー５７を基板ベース５６に取付、第１筒部の下面と第２筒部の上面が一致していることを確認する。そして、その後、図８で説明したように螺子５８ｃを特殊マイナスドライバで締めこんでいくことになる。なお、螺子５８ｃを締めこんでいく場合には、螺子５８ｃが挿通孔５８ｈ、５８ｊを挿通した後、螺子孔部材５８ｆの螺子孔５８ｋに締めこんでいくようにする。螺子５８ｃの先端が螺子孔５８ｋに締めこまれるようになると、螺子孔部材５８ｆは回転可能であるので螺子孔部材５８ｆが回転するようになる。しかし、螺子孔部材５８ｆの下面に突出する係止め部５８ｌ、５８ｌの先端と第２連結部の上面に突出する係止め部５８ｍ、５８ｍの先端が当接する位置まで、螺子孔部材５８ｆが回転すると、その位置で螺子孔部材５８ｆは係止めし、回転不可能に固定される。このように、螺子孔部材５８ｆが回転不可能に固定されると、螺子５８ｃが締め込み可能となり、螺子孔部材５８ｆの螺子孔５８ｋに締めこまれていくことになる。そして、螺子５８ｃの頭部が第１筒部５８ｂの開口部５８ｇの下面までくると、それ以上螺子孔５８ｋに螺子５８ｃを締めこむことが不可能となる。即ち、基板カバー５７と、基板ベース５６とを取外し不可能に封印することができる。
【００３２】
このように、封印した状態から、不正に主制御基板４６のＲＯＭ等を交換しようとして、螺子５８ｃを取外し可能なように自作した工具を使用し、螺子５８ｃを緩める方向に回転させても、螺子孔部材５８ｆの下面に突出する係止め部５８ｌ、５８ｌと第２連結部５８ｄの上面に突出する係止め部５８ｍ、５８ｍにより螺子孔部材５８ｆが空転するようになる。これを詳述すると、螺子５８ｃを緩める方向、即ち、反時計方向に回転させると螺子孔部材５８ｆも反時計方向に回転しようとする。螺子孔部材５８ｆが反時計方向に回転すると、係止め部５８ｌ、５８ｌの傾斜が係止め部５８ｍ、５８ｍの傾斜を上っていくことになる。即ち、螺子孔部材５８ｆが回転不可能に固定されることはなく、空転しつづけることになる。要するに、螺子５８ｃを緩める方向に回転させても、螺子孔部材５８ｆが空転することにより、螺子５８ｃが緩まることはない。したがって、基板ケースを４７を開けることはできない。したがって、基板ケース４７を開放する場合には、第１連結部５８ａ、第２連結部５８ｄを切断することにより行わなければならない。なお、基板ケース４７を封印する場合には、図３に示した封印部材５８〜６１の内の各々一つの封印手段、例えば、封印手段５８と封印手段６０、封印段５９と封印手段６１のように左右一組として封印するようにする。したがって、主制御基板４６の点検時などのために基板ケース４７を開放を２回まで行うことができる。そして、２回目の基板ケース４７の開放を行った場合には、基板ケース４７を新品と交換することになる。
【００３３】
基板ケース４７について、基板ケース４７にスペーサー６２が嵌合している状態を図９（ａ）、嵌合前の状態を図９（ｂ）の部分斜視図において示す。図示するように基板ケース４７の空間部６４には、テープ型インレット６３が貼着されている。
本実施例のテープ型インレット６３は汎用品であり、ＩＣチップとアンテナが内蔵されている。ＩＣチップにはメモリが内蔵され、当該メモリはシステム領域とユーザ領域とからなる。当該メモリに書き込まれたデータは、リーダーライターにより読み込むことは可能ではあるが、システム領域は書き換え不可能なので、システム領域に書き込まれた当該ＩＣチップ固有のＩＤ番号を変更することは不可能である。従って、偽造やコピーが不可能である。
インレットは、縦約５３ｍｍ、横１．５ｍｍ、厚さ０．２５ｍｍの形状を有する。
インレットは薄いフィルムであり、その裏面にはアクリル樹脂系の接着剤が塗布されている。
【００３４】
テープ型インレットの表面に目視可能な印字を施した場合を図１０に示す。この場合、細いテープ型インレットでは印字を認識しにくいため、横１０ｍｍの横長テープ型インレット６３ａを例に説明する。（ａ）は横長テープ型インレット６３ａにＱＲコード（登録商標）１００を印刷、（ｂ）は横長テープ型インレット６３ａにシリアルナンバー１０１を印刷した例である。これにより製造日、製造元、製造場所、製造番号などのデータが認識できれば、仮にテープ型インレットが破損し、ＩＣチップ内のデータが読み込み出来なくなった場合でも必要最低限の情報は取得可能となる。
【００３５】
基板ケース４７にスペーサー６２が嵌合している状態を図１１（ａ）、嵌合前の状態を図１１（ｂ）の部分断面図で示す。
スペーサー６２はテープ型インレット６３の状態を目視できるように透過性のある合成樹脂で形成されている。
スペーサー６２には、一対の係止片１０２とその係止片先端には係止爪１０３が備わっている。スペーサー６２が空間部６４へ嵌合されるとき、この係止片１０２が空間部６４内にある係止穴６５に挿入され、押し込まれると係止爪１０３が基板ケース裏面側の係止部１０４に引っ掛かる。この状態になると、基板ケース４７の裏面側から係止爪１０３を係止部１０４から遠ざけるように広げて、係止部１０４と係止爪１０３とを離さない限り、スペーサー６２を基板ケース４７から剥離させることができない。つまり基板ケース４７が嵌合している状態でスペーサー６２をはずすことは、スペーサー６２自体が破損するというような状況を除いて、不可能である。
基板ケース４７に嵌合されているスペーサー６２を取り外すには、基板ケース４７を構成する基板カバー５７と基板ベース５６が離れている状態時に行う。基板ケース４７の裏面側から、スペーサー６２の一対の係止爪１０３を指で挟み、係止爪１０３を係止部１０４から離れるように係止穴６５方向へずらし、係止穴６５へ押し込むことでスペーサー６２を取り外すことができる。
また、基板ケース４７の裏面側には厚さ０．５ｍｍ程度のフェライトや砂状磁鉄鉱からなるシート状の電波吸収材１０５を貼着することにより、テープ型インレットとリーダーとの通信状態が良くなる効果が期待できると同時に、基板ケース４７内の電子部品６６へのテープ型インレットまたはリーダーから発する電磁波の影響を抑えることができる。
【符号の説明】
【００３６】
１０…パチンコ機、１１…外枠、１２…ヒンジ機構、１３…内枠、１４…遊技盤、１５…金枠、１６…上皿、１６ａ…流出口、１６ｂ…上皿球抜きレバー、１７…球貸ユニット操作パネル、１７ａ…球貸ボタン、１７ｂ…カード返却ボタン、１７ｃ…カード残金表示部、１８…下皿、１８ａ…流出口、１８ｂ…下皿球抜きレバー、１９…発射レバー、２０…発射ハンドル、２１…ガイドレール、２２…遊技領域、２３…センター役物、２４…特別図柄表示装置、２４ａ…図柄表示装置基板（特別図柄用）、２５…普通図柄表示装置、２６…ランプ風車、２７…風車、２８…普通図柄始動用ゲート、２９…サイドランプ、３０…普通電動役物、３０ａ、ｂ…開閉羽、３１…肩入賞口、３２…入賞装置、３３…大入賞口、３４…袖入賞口、３５…アウト口、３６…球貸ユニット、３７…カード挿入口、３８…表示ランプ、３９…遊技盤取付枠、４０…機構板、４１…球タンク、４２…タンクレール、４３…カーブ樋、４４…賞球払出装置、４５…貸球払出装置、４６…主制御基板、４７…基板ケース、４８…賞球制御基板、４９…音声制御基板、５０…ランプ制御基板、５１…遊技盤用中継基板、５２…枠用中継基板、５３…電源基板、５４…発射装置、５４ａ…発射制御基板、５５…外部接続端子板、５６…基板ベース、５７…基板カバー、５８〜６１…封印部材、５８ａ〜６１ａ…第１連結部、５８ｂ〜６１ｂ…第１筒部、５８ｃ〜６１ｃ…螺子、５８ｄ〜６１ｄ…第２連結部、５８ｅ〜６１ｅ…第２筒部、５８ｆ〜６１ｆ…螺子孔部材、５８ｇ…開口部、５８ｈ…挿通孔、５８ｉ…開口部、５８ｊ…挿通孔、５８ｋ…螺子孔、５８ｌ…係止め部、５８ｍ…係止め部、６２…スペーサー、６３…テープ型インレット（ＩＣタグ）、６４…空間部、６５…係止穴、６６…電子部品、６７…電子部品実装領域、６８…コネクタ、６９…コネクタ実装領域、７０…止め孔、７１…係合孔、７２…ガイドリブ、７２ａ、ｂ…突起部、７２ｃ、ｄ…ネジ孔、７３…主制御基板載置領域、７４…取付部、７４ａ…取付孔、７５…軸受け、７５ａ…軸孔、７６ａ、ｂ…凹部、７７…被覆部材、７８…挿通孔、７９…支軸、８０…頭部、８１…当接面部、８２…凹部、８３…中心穴部、８４…マイナスドライバ、８５…中心軸部、８６…当接片部、１００…ＱＲコード（登録商標）、１０１…シリアルナンバー、１０２…係止片、１０３…係止爪、１０４…係止部
【図１】
0005386670.tif 000002
【図２】
0005386670.tif 000003
【図３】
0005386670.tif 000004
【図４】
0005386670.tif 000005
【図５】
0005386670.tif 000006
【図６】
0005386670.tif 000007
【図７】
0005386670.tif 000008
【図８】
0005386670.tif 000009
【図９】
0005386670.tif 000010
【図１０】
0005386670.tif 000011
【図１１】
0005386670.tif 000012